(57)【要約】【課題】プロジェクターに同一構造の２つの光源装置を搭載し、かつ、プロジェクターの側方から各光源装置を交換する構造とした場合であっても、全ての光源装置における各発光管の長寿命化が図れる光源装置を提供する。【解決手段】光源装置４は、反射鏡４２の光射出前方側に設けられ、発光管４１を囲む筒体６２を備える。筒体６２には、内外を連通し外部の空気を光射出前方側から後方側に向けて筒体６２に導入可能とする一対の空気流通部８が発光管４１の中心軸Ａｘを中心として上下対称に設けられている。空気流通部８内部には、筒体６２に導入される空気を整流して発光管４１に流通させる整流部材９が設けられている。整流部材９は、空気流通部８に対して所定の回動軸ＲＡｘを中心として自重で回動可能に軸支され、回動することで空気流通部８内部を流通する空気の流路の少なくとも一部の領域を開閉する。【選択図】図４
2010244753.tif 000002
【特許請求の範囲】
【請求項１】
内部に一対の電極が配置される発光部を有する発光管と、前記発光部から射出された光束を反射する反射鏡とを備えた光源装置であって、
前記反射鏡の光射出前方側に設けられ、前記発光管を囲む筒体を備え、
前記筒体には、
内外を連通し外部の空気を前記光射出前方側から後方側に向けて前記筒体に導入可能とする一対の空気流通部が前記発光管の中心軸を中心として上下対称に設けられ、
前記空気流通部内部には、
前記筒体に導入される空気を整流して前記発光管に流通させる整流部材が設けられ、
前記整流部材は、
前記空気流通部に対して所定の回動軸を中心として自重で回動可能に軸支され、回動することで前記空気流通部内部の流路の少なくとも一部の領域を開閉する
ことを特徴とする光源装置。
【請求項２】
請求項１に記載の光源装置において、
前記回動軸は、
鉛直軸及び前記中心軸に直交する方向から見た場合に、前記中心軸に離間する側が前記光射出後方側に位置するように前記鉛直軸に対して傾斜している
ことを特徴とする光源装置。
【請求項３】
請求項２に記載の光源装置において、
前記整流部材は、
互いに所定の角度をなすように接続された中央領域遮蔽部及び端領域遮蔽部を備え、
前記空気流通部内部には、
各前記端領域遮蔽部が互いに離間して左右に２つの前記整流部材が並設され、
前記２つの整流部材は、
前記空気流通部内部を流通する空気の流路を、中央に位置する中央領域と、前記中央領域に対して左右に位置する各端領域との３つの領域に分けた場合に、
前記中央領域を開放するとともに前記端領域遮蔽部にて前記端領域を閉塞する第１の回動位置、または、前記端領域を開放するとともに前記中央領域遮蔽部にて前記中央領域を閉塞する第２の回動位置に回動する
ことを特徴とする光源装置。
【請求項４】
請求項３に記載の光源装置において、
前記中央領域遮蔽部は、
前記２つの整流部材における離間寸法よりも長く形成され、前記第２の回動位置に回動した際に他方の前記整流部材における前記中央領域遮蔽部に当接する
ことを特徴とする光源装置。
【請求項５】
請求項４に記載の光源装置において、
前記中央領域遮蔽部及び前記端領域遮蔽部は、
鋭角をなすように接続され、
前記端領域遮蔽部は、
前記整流部材が前記第２の回動位置に位置付けられた際に、前記空気流通部内部を流通する空気の流路に略平行となるように位置付けられる
ことを特徴とする光源装置。
【請求項６】
請求項２から請求項５のいずれかに記載の光源装置において、
前記筒体には、
内部の空気を外部に排出するための排出口が形成されている
ことを特徴とする光源装置。
【請求項７】
請求項１から請求項６のいずれかに記載の光源装置と、
前記光源装置から射出された光束を画像情報に応じて変調する光変調装置と、
前記光変調装置にて変調された光束を投射する投射光学装置とを備え、
前記光源装置は、
各前記中心軸が略一致して互いに対向するように一対設けられるとともに、各前記中心軸が前記投射光学装置からの光束の投射方向に略直交して配設されている
ことを特徴とするプロジェクター。
【発明の詳細な説明】
【技術分野】
【０００１】
本発明は、光源装置及びプロジェクターに関する。
【背景技術】
【０００２】
従来、プロジェクターでは、光源装置として一対の電極間で放電発光させる放電発光型の光源装置が多用される。また、このようなプロジェクターとして、投影画像の明るさを向上させるために、２つの光源装置を備えた２灯式のプロジェクターも提案されている（例えば、特許文献１参照）。
具体的に、特許文献１に記載のプロジェクターでは、２つの光源装置は、外装を構成する外装筐体内部において、画像を投射する投射レンズの配設位置とは反対側の背面側に配設されるとともに、合成プリズムを中心として互いに対向するように配設されている。そして、２つの光源装置から射出された光束は、合成プリズムにて合成され、投射レンズからの画像の投射方向に沿って射出される。
【０００３】
ところで、上記のような光源装置としては、内部に一対の電極が配置される略球状の発光部を有する発光管を備える。このような発光管の点灯時には、発光部における上部が最も高い温度となり、下部が最も低い温度となる。このような発光部上部の高温状態が継続すると失透が生じやすくなる一方で、上部と下部との温度差が大きくなると黒化が生じやすくなり、発光管が劣化しやすくなる。
このため、従来では、発光管及び反射鏡を収納するハウジングにおいて、発光管の上方側に空気導入口を形成し、該空気導入口を介して発光部上部に空気を送風する技術が採用されている。
【先行技術文献】
【特許文献】
【０００４】
【特許文献１】特開２００２−２５８２４８号公報
【発明の概要】
【発明が解決しようとする課題】
【０００５】
ところで、特許文献１に記載の２灯式のプロジェクターでは、コストや使い勝手を考慮した場合には、２つの光源装置を同一構造とし、すなわち、ある光源装置を２つの光源装置のうちいずれの光源装置としても利用できることが望ましい。
しかしながら、特許文献１に記載の２灯式のプロジェクターにおいて、２つの光源装置を同一構造とするとともに、上述した技術、及び以下に示す２つの光源装置の交換構造を採用した場合には、以下に示す問題が生じてしまう。
２つの光源装置の交換構造としては、例えば、プロジェクターの側方から交換する構造が考えられる。
具体的に、外装筐体の背面側の側壁に交換用蓋体を着脱可能に設け、交換用蓋体を外装筐体から取り外した状態で、背面側から２つの光源装置を外装筐体内部に取り出す。そして、新たな２つの光源装置を背面側から外装筐体内部に装着することで、各光源装置に設けられた各コネクター（以下、光源側コネクター）が外装筐体内部に設けられた各コネクター（以下、筐体側コネクター）に接続し、各コネクターを介して発光管に電力が供給可能な状態（発光管が点灯可能な状態）となる。
【０００６】
そして、上述した交換構造を採用した場合には、投射側から見て右側に配設される光源装置（以下、第１光源装置）については、光源側コネクターの向きが光射出前方側から見て右側に向いている必要がある。一方、投射側から見て左側に配設される光源装置（以下、第２光源装置）については、光源側コネクターの向きが光射出前方側から見て右側に向いている必要がある。
すなわち、２つの光源装置を同一構造とした場合には、例えば、第１光源装置と第２光源装置とを上下逆の姿勢とすれば、双方の光源装置において、光源側コネクターの向きを上述した所望の位置に設定できる。
しかしながら、上述した技術を採用した場合には、第１光源装置と第２光源装置とが上下逆の姿勢となるため、一方の光源装置では空気導入口が上方側に位置するが、他方の光源装置では空気導入口が下方側に位置することとなる。
すなわち、一方の光源装置については空気導入口を介して発光部上部に空気を送風して発光管の長寿命化が図れるが、他方の光源装置については空気導入口を介して発光部下部に空気が送風されることとなり発光管の長寿命化が図れない。
以上のことから、プロジェクターに同一構造の２つの光源装置を搭載し、かつ、プロジェクターの側方から各光源装置を交換する構造とした場合であっても、全ての光源装置における各発光管の長寿命化が図れる技術が要望されている。
【０００７】
本発明の目的は、プロジェクターに同一構造の２つの光源装置を搭載し、かつ、プロジェクターの側方から各光源装置を交換する構造とした場合であっても、全ての光源装置における各発光管の長寿命化が図れる光源装置及びプロジェクターを提供することにある。
【課題を解決するための手段】
【０００８】
本発明の光源装置は、内部に一対の電極が配置される発光部を有する発光管と、前記発光部から射出された光束を反射する反射鏡とを備えた光源装置であって、前記反射鏡の光射出前方側に設けられ、前記発光管を囲む筒体を備え、前記筒体には、内外を連通し外部の空気を前記光射出前方側から後方側に向けて前記筒体に導入可能とする一対の空気流通部が前記発光管の中心軸を中心として上下対称に設けられ、前記空気流通部内部には、前記筒体に導入される空気を整流して前記発光管に流通させる整流部材が設けられ、前記整流部材は、前記空気流通部に対して所定の回動軸を中心として自重で回動可能に軸支され、回動することで前記空気流通部内部の流路の少なくとも一部の領域を開閉することを特徴とする。
【０００９】
本発明では、光源装置を構成する筒体には、一対の空気流通部が発光管の中心軸を中心として上下対称に設けられている。このことにより、２つの光源装置を同一構造とした２灯式のプロジェクターにおいて、一方の光源装置と他方の光源装置とが上下逆の姿勢で配設されても、一対の空気流通部が上下対称に設けられているため、いずれかの空気流通部（以下、導入用空気流通部）が発光管に対して上方側に位置することとなる。すなわち、導入用空気流通部を介して外部の空気を筒体に導入することで、双方の光源装置において、各発光管の上方側から各発光部上部に効率よく空気を送風でき、各発光管の長寿命化が図れる。
したがって、プロジェクターに同一構造の２つの光源装置を搭載し、かつ、プロジェクターの側方から各光源装置を交換する構造とした場合であっても、全ての光源装置における各発光管の長寿命化が図れるため、本発明の目的を達成できる。
また、空気流通部内部には、整流部材が設けられているため、導入用空気流通部を介して筒体に導入される空気を整流部材にて整流でき、発光部上部により一層効率よく空気を送風できる。
【００１０】
ところで、例えば、光源装置が搭載されるプロジェクターにおいて、画像の投射方向と光源装置における発光管の中心軸とを略直交するように構成した場合には、プロジェクターを種々の姿勢で設置した場合には、一対の空気流通部は、以下のように位置付けられることとなる。
すなわち、プロジェクターを通常の姿勢（机等の設置面に載置した正置き姿勢）で設置した場合には、一対の空気流通部は、上述したように、発光管の中心軸に対して上下にそれぞれ位置付けられる。
このようにプロジェクターを正置き姿勢で設置した場合には、上述したように導入用空気流通部を介して外部の空気を筒体に導入すれば、発光管の上方側から発光部上部に効率よく空気を送風できる。
【００１１】
一方、発光管の中心軸を中心としてプロジェクターを９０°回転させ、画像を上方に投射する上方投射姿勢や下方に投射する下方投射姿勢でプロジェクターを設置した場合には、一対の空気流通部は、光射出前方側から見て発光管の中心軸に対して左右にそれぞれ位置付けられる。
このようにプロジェクターを上方投射姿勢や下方投射姿勢で設置した場合には、上述した位置に一対の空気流通部が位置付けられるため、導入用空気流通部を介して外部の空気を筒体に導入しても、発光部上部に効率よく空気を送風することが難しい。
本発明では、整流部材は、所定の回動軸を中心として自重で回動可能とし、回動することで空気流通部内部の流路の少なくとも一部の領域を開閉する。このことにより、上述したようにプロジェクターを上方投射姿勢や下方投射姿勢で設置した場合には、整流部材が自重により回動することで、導入用空気流通部内部の下方側の領域を整流部材にて閉塞し、上方側の領域のみを開放することができる。すなわち、外部の空気が導入用空気流通部内部の上方側の領域のみを通過することとなり、発光管の側方から発光部上部に空気を送風することができる。
以上のことから、プロジェクターを種々の姿勢で設置した場合であっても、発光部上部に効率よく空気を送風でき、発光管の長寿命化が図れる。
【００１２】
本発明の光源装置では、前記回動軸は、鉛直軸及び前記中心軸に直交する方向から見た場合に、前記中心軸に離間する側が前記光射出後方側に位置するように前記鉛直軸に対して傾斜していることが好ましい。
本発明では、回動軸は、上述したように鉛直軸に対して傾斜している。このことにより、プロジェクターを正置き姿勢で設置した場合には、導入用空気流通部内部の整流部材は、自重により回動することで、先端部分が光射出後方側に向うように位置付けられることとなる。このため、プロジェクターを正置き姿勢で設置した場合において、整流部材が導入用空気流通部内部の流路を不要に閉塞することなく、導入用空気流通部を介して筒体に導入される空気を整流部材にて適切に整流でき、発光部上部に効率よく空気を送風できる。
【００１３】
本発明の光源装置では、前記整流部材は、互いに所定の角度をなすように接続された中央領域遮蔽部及び端領域遮蔽部を備え、前記空気流通部内部には、各前記端領域遮蔽部が互いに離間して左右に２つの前記整流部材が並設され、前記２つの整流部材は、前記空気流通部内部を流通する空気の流路を、中央に位置する中央領域と、前記中央領域に対して左右に位置する各端領域との３つの領域に分けた場合に、前記中央領域を開放するとともに前記端領域遮蔽部にて前記端領域を閉塞する第１の回動位置、または、前記端領域を開放するとともに前記中央領域遮蔽部にて前記中央領域を閉塞する第２の回動位置に回動することが好ましい。
【００１４】
本発明では、空気流通部内部には、中央領域遮蔽部及び端領域遮蔽部を備えた整流部材が２つ、上述したように並設されている。
このため、プロジェクターを種々の姿勢で設置した場合には、空気流通部内部の２つの整流部材は、重心位置を所定位置に設定することで、以下に示す位置に回動する。
すなわち、プロジェクターを正置き姿勢で設置した場合には、２つの整流部材は、自重により、導入用空気流通部内部の中央領域のみを開放した第１の回動位置に回動する。このため、外部の空気が導入用空気流通部の中央領域のみを通過することとなり、発光管の上方側から発光部上部に空気を送風することができる。
また、プロジェクターを上方投射姿勢や下方投射姿勢で設置した場合には、２つの整流部材は、上下にそれぞれ位置付けられることとなる。このため、上方側に位置する整流部材は、自重により、導入用空気流通部内部の上方側に位置する端領域を開放し中央領域を閉塞した第２の回動位置に回動する。一方、下方側に位置する整流部材は、自重により、導入用空気流通部内部の下方側に位置する端領域を閉塞した第１の回動位置に回動する。すなわち、２つの整流部材にて導入用空気流通部内部の上方側に位置する端領域のみを開放することができる。このため、外部の空気が導入用空気流通部内部の上方側の端領域のみを通過することとなり、発光管の側方から発光部上部に空気を送風することができる。
以上のことから、プロジェクターを種々の姿勢で設置した場合において、導入用空気流通部内部の流路を２つの整流部材にて絞ることで、発光部上部にスポット的に空気を送風して発光部を効果的に冷却できる。
【００１５】
本発明の光源装置では、前記中央領域遮蔽部は、前記２つの整流部材における離間寸法よりも長く形成され、前記第２の回動位置に回動した際に他方の前記整流部材における前記中央領域遮蔽部に当接することが好ましい。
ところで、中央領域遮蔽部を２つの整流部材における離間寸法と略同一の長さあるいは短く形成した場合には、２つの整流部材の双方が第２の回動位置に回動し、各中央領域遮蔽部が重なり合ってしまうことがある。このように、２つの整流部材の各中央領域遮蔽部が重なり合ってしまった場合には、中央領域遮蔽部同士の摩擦等の影響により、２つの整流部材が第２の回動位置から第１の回動位置に回動し難いものとなる。
本発明では、中央領域遮蔽部は、２つの整流部材における離間寸法よりも長く形成され、第２の回動位置に回動した際に他方の整流部材における中央領域遮蔽部に当接する。このことにより、一方の整流部材が第２の回動位置に回動した場合には、他方の整流部材の第２の回動位置への回動を規制して他方の整流部材を第１の回動位置に位置付けることができる。すなわち、２つの整流部材の双方が第２の回動位置に回動し、各中央領域遮蔽部が重なり合ってしまうことを回避できる。
したがって、プロジェクターを種々の姿勢で設置した場合において、２つの整流部材を所望の回動位置に円滑に回動させることができ、上述した発光部上部にスポット的に空気を送風して発光部を効果的に冷却できるという効果を好適に図れる。
【００１６】
本発明の光源装置では、前記中央領域遮蔽部及び前記端領域遮蔽部は、鋭角をなすように接続され、前記端領域遮蔽部は、前記整流部材が前記第２の回動位置に位置付けられた際に、前記空気流通部内部を流通する空気の流路に略平行となるように位置付けられることが好ましい。
本発明では、中央領域遮蔽部及び端領域遮蔽部を上述したように接続することで、整流部材が第２の回動位置に位置付けられた際に、端領域遮蔽部が空気の流路に略平行するように構成している。このことにより、プロジェクターを上方投射姿勢や下方投射姿勢で設置した場合に、外部の空気が導入用空気流通部内部の上方側に位置する端領域を通過する際に、端領域遮蔽部にて流通方向が変更されることがなく、端領域遮蔽部にて良好に整流されることとなり、発光部上部に空気を効率よく送風することができる。
【００１７】
本発明の光源装置では、前記筒体には、内部の空気を外部に排出するための排出口が形成されていることが好ましい。
ところで、一対の空気流通部のうち、導入用空気流通部以外の空気流通部（以下、排出用空気流通部）は、導入用空気流通部を介して発光部上部に送風された後の空気を筒体外部に排出するように機能する。
ここで、排出用空気流通部内部には、導入用空気流通部と同様に、自重により回動可能とする整流部材が設けられている。
そして、排出用空気流通部内部の整流部材が自重により回動し、排出用空気流通部の流路の少なくとも一部の領域を閉塞してしまうと、導入用空気流通部を介して導入される空気の流路面積に対して、排出用空気流通部を介して排出される空気の流路面積が小さくなる。このように導入側の流路面積に対して排出側の流路面積が小さくなった場合には、筒体に導入された空気が筒体内部に滞留しやすく、発光管の冷却効率が低下してしまう。
本発明では、筒体に排出口が形成されているので、排出用空気流通部内部の整流部材が自重により回動し、排出用空気流通部の流路の少なくとも一部の領域を閉塞してしまった場合であっても、排出口を設けた分、導入側の流路面積に対して排出側の流路面積を大きくすることが可能となる。このため、筒体に導入された空気が筒体内部に滞留することを抑制し、発光管の冷却効率を向上できる。
【００１８】
本発明のプロジェクターは、請求項１から請求項６のいずれかに記載の光源装置と、前記光源装置から射出された光束を画像情報に応じて変調する光変調装置と、前記光変調装置にて変調された光束を投射する投射光学装置とを備え、前記光源装置は、各前記中心軸が略一致して互いに対向するように一対設けられるとともに、各前記中心軸が前記投射光学装置からの光束の投射方向に略直交して配設されていることを特徴とする。
本発明では、プロジェクターは上述した光源装置を２つ備え、２つの光源装置が上述したように配設されているので、上述した光源装置と同様の作用及び効果を享受できる。
【図面の簡単な説明】
【００１９】
【図１】第１実施形態におけるプロジェクターの外観を示す斜視図。
【図２】第１実施形態におけるプロジェクターの内部構造を示す図。
【図３】第１実施形態における第１光源装置の外観を示す図。
【図４】第１実施形態における第１光源装置の外観を示す図。
【図５】第１実施形態における導入用空気流通部の構成を示す斜視図。
【図６】第１実施形態における左側整流部材の構成を示す斜視図。
【図７】第１実施形態における整流部材の機能を説明するための図。
【図８】第１実施形態における整流部材の機能を説明するための図。
【図９】第１実施形態における整流部材の機能を説明するための図。
【図１０】第１実施形態における整流部材の機能を説明するための図。
【図１１】第１実施形態における整流部材の機能を説明するための図。
【図１２】第２実施形態における整流部材を説明するための図。
【図１３】第２実施形態における整流部材の機能を説明するための図。
【発明を実施するための形態】
【００２０】
[第１実施形態]
以下、本発明の第１実施形態を図面に基づいて説明する。
〔プロジェクターの構成〕
図１は、第１実施形態におけるプロジェクター１の外観を示す斜視図である。具体的に、図１は、プロジェクター１が正置き姿勢で設置された状態を示す斜視図である。
プロジェクター１は、画像情報に応じた画像を形成してスクリーン（図示略）上に投射する。このプロジェクター１は、図１に示すように、外装を構成する外装筐体２と、外装筐体２内部に収納される光学ユニット３（図２参照）とで大略構成されている。
【００２１】
外装筐体２は、図１に示すように、プロジェクター１が正置き姿勢で設置された際に鉛直方向に交差する天面部２１及び底面部２２を有する略直方体状に形成されている。
この外装筐体２において、天面部２１には、図１に示すように、一対のハンドル２１Ａが取り付けられている。
一対のハンドル２１Ａは、プロジェクター１を持ち運ぶ際等に利用者により把持される部材であり、略Ｕ字形状を有するように形成されている。そして、一対のハンドル２１Ａは、互いに平行となり、かつ、前後方向（投射レンズ３４からの画像の投射方向に沿う方向）に延出するように、Ｕ字形状の両端が天面部２１にそれぞれ取り付けられている。
【００２２】
そして、一対のハンドル２１Ａには、具体的な図示は省略したが、プロジェクター１を天吊り姿勢（天井等から吊り下げた姿勢）で設置する際に、天吊り用の金具が取り付けられる複数のネジ孔が形成されている。
すなわち、本実施形態のプロジェクター１は、天吊り姿勢で設置する際に、正置き姿勢と同一の姿勢（天面部２１が上方側に向き底面部２２が下方側に向く姿勢）となるように設計されている。
【００２３】
また、外装筐体２において、投射レンズ３４が配設される側とは反対側に位置し、天面部２１及び底面部２２に隣接する背面部２３には、図１または図２に示すように、該背面部２３の一部を構成する交換用蓋体２３１が取り付けられている。
この交換用蓋体２３１は、外装筐体２に対して着脱自在に構成され、取り外すことで、後述する光源装置４を交換可能とする。
【００２４】
〔光学ユニットの構成〕
図２は、プロジェクター１の内部構造を示す図である。
光学ユニット３は、制御装置（図示略）による制御の下、画像情報に応じて画像を形成して投射する。
この光学ユニット３は、図２に示すように、一対の光源装置４と、反射ミラー４Ｃと、レンズアレイ３１１，３１２、偏光変換素子３１３、及び重畳レンズ３１４を有する照明光学装置３１と、ダイクロイックミラー３２１，３２２、及び反射ミラー３２３〜３２６を有する色分離光学装置３２と、光変調装置としての３つの液晶パネル３３１、３つの入射側偏光板３３２、３つの射出側偏光板３３３、及び色合成光学装置としてのクロスダイクロイックプリズム３３４を有する光学装置３３と、投射光学装置としての投射レンズ３４と、これら各部材４，４Ｃ、３１〜３３を内部に収納する光学部品用筐体３５とを備える。
【００２５】
ここで、一対の光源装置４は、図２に示すように、後述する発光管４１の中心軸Ａｘ（光源装置４から射出される光束の中心軸）が略一致し、反射ミラー４Ｃに向けて光束を射出するように反射ミラー４Ｃを挟んで対向するように配設されている。また、一対の光源装置４は、各中心軸Ａｘが投射レンズ３４からの投射方向Ｒ（図２）に略直交するように配設されている。
なお、以下では、説明の便宜上、投射レンズ３４が配設される前面側から見て、右側に配設される光源装置４を第１光源装置４Ａとし、左側に配設される光源装置４を第２光源装置４Ｂと記載する。
また、光源装置４の詳細な構成については、後述する。
そして、光学ユニット３では、上述した構成により、各光源装置４から射出された光束は、反射ミラー４Ｃにより、光学部品用筐体３５内部に設定された照明光軸Ａ（図２）に沿って反射され、照明光学装置３１に照射される。照明光学装置３１に照射された光束は、照明光学装置３１にて面内照度が均一化されるとともに、色分離光学装置３２にてＲ，Ｇ，Ｂの３つの色光に分離される。分離された各色光は、各液晶パネル３３１にて画像情報に応じてそれぞれ変調され、色光毎の画像が形成される。色光毎の画像は、プリズム３３４にて合成され、投射レンズ３４にてスクリーン（図示略）に投射される。
【００２６】
〔光源装置の構成〕
次に、光源装置４の構成について説明する。
なお、各光源装置４は、同様の構成を有しているため、以下では、第１光源装置４Ａのみを説明する。
また、以下では、説明の便宜上、第１光源装置４Ａの光射出側を「前方側」とし、光射出側の反対側を「後方側」と記載する。
図３及び図４は、第１光源装置４Ａの外観を示す図である。具体的に、図３は、プロジェクター１が正置き姿勢で設置された場合での第１光源装置４Ａの姿勢状態を光射出前方側から見た斜視図である。すなわち、図３における上方側が天面部２１側に相当し、下方側が底面部２２側に相当する。図４は、発光管４１の中心軸Ａｘを通る平面にて切断した第１光源装置４Ａの縦断面図である。
第１光源装置４Ａは、図３または図４に示すように、発光管４１（図２、図４）及び反射鏡４２（図２、図４）を有する光源装置本体４０（図２、図４）と、平行化レンズ４３とを備える他、これらを内部に収納するハウジング５とを備える。
【００２７】
発光管４１は、図４に示すように、略球状に膨出する発光部４１１と、発光部４１１を挟み、発光部４１１の両端から互いに離間する方向に延出する一対の封止部４１２，４１３とを有する。
なお、以下では、説明の便宜上、一対の封止部４１２，４１３のうち、前方側の封止部４１２を前側封止部４１２と記載し、後方側の封止部４１３を後側封止部４１３と記載する。
【００２８】
発光部４１１の内部には、一対の電極Ｅ１，Ｅ２が配置され、一対の電極Ｅ１，Ｅ２間には、水銀、希ガス及び少量のハロゲンを含む発光物質が封入された放電空間Ｓが形成されている。
各封止部４１２，４１３内部には、電極Ｅ１，Ｅ２とそれぞれ電気的に接続されたモリブデン製の金属箔４１２１，４１３１が挿入され、各封止部４１２，４１３における発光部４１１とは反対側の端部は、ガラス材料等で封止されている。
これら各金属箔４１２１，４１３１には、発光管４１の外部まで延出する電極引出線４１４，４１５がそれぞれ接続され、これら電極引出線４１４，４１５に対して、電圧を印加すると、発光部４１１内部が発光する。
なお、前側封止部４１２に設けられた電極引出線４１４には、該電極引出線４１４に電圧を印加するために、ハウジング５外部に配設されるコネクターＣｎ（図３）に接続するリード線４１６の一端が溶着されている。
【００２９】
反射鏡４２は、入射した光束を反射して、所定の焦点位置に収束させる。
そして、発光管４１は、発光部４１１の発光中心が反射鏡４２の焦点位置に位置するように、後側封止部４１３が反射鏡４２に固定される。
すなわち、発光管４１は、図４に示すように、断面略凹状に拡がる反射鏡４２の内部に配設される。
【００３０】
ハウジング５は、光源装置本体４０及び平行化レンズ４３を支持し、これら各光学部品４０，４３を一体化する。このハウジング５は、図３または図４に示すように、筒状部材６と、遮蔽部材７とを備える。
遮蔽部材７は、図３または図４に示すように、筒状部材６の後方側に取り付けられ、反射鏡４２の後方側を覆う部材である。
この遮蔽部材７において、左側の端面７Ａには、図３に示すように、第１光源装置４Ａを外装筐体２内外に着脱する（光源装置４Ａを交換する）際に、利用者により把持される把持部７１が設けられている。
筒状部材６は、発光管４１を囲み、発光管４１の中心軸Ａｘ（図４）に沿って延出するように形成されている。
より具体的に、筒状部材６は、図３または図４に示すように、後方側に位置する第１筒状部６１と、前方側に位置し第１筒状部６１よりも外形の小さい筒体としての第２筒状部６２とが段差部６３を介して一体的に形成されている。
【００３１】
そして、光源装置本体４０は、断面略凹状に拡がる反射鏡４２における前方側の端部が段差部６３に当接した状態で、板バネＳｐ（図３）にて第２筒状部６２に向けて付勢されることで筒状部材６に固定される。
また、平行化レンズ４３は、図３または図４に示すように、第２筒状部６２の前方側の端部に固定される。
上述したように筒状部材６に光源装置本体４０及び平行化レンズ４３が固定されることで、第２筒状部６２における後方側の開口部分が光源装置本体４０にて閉塞され、前方側の開口部分が平行化レンズ４３にて閉塞され、第２筒状部６２、光源装置本体４０及び平行化レンズ４３にて囲まれた空間Ａｒ（図４）が形成される。
【００３２】
第１筒状部６１において、上方側、下方側及び右側の各端面６１Ａ〜６１Ｃには、図３または図４に示すように、右側に向けて突出し、光学部品用筐体３５に対する所望の位置に位置決めするための位置決め突起６１１Ａ〜６１１Ｃがそれぞれ設けられている。
また、第１筒状部６１において、下方側の端面６１Ｂには、図３に示すように、右側を向くように第１コネクターＣｎが設けられている。
【００３３】
すなわち、利用者は、以下に示すように、第１光源装置４Ａを交換する。
先ず、利用者は、外装筐体２から交換用蓋体２３１を取り外し、外装筐体２内部に装着された第１光源装置４Ａの把持部６１１を把持し、外装筐体２外部に引き出す。
次に、利用者は、新たな第１光源装置４Ａにおける把持部６１１を把持しながら、図３に示す姿勢で、右側の端面６１Ｃ側から外装筐体２内部に挿入する。そして、光学部品用筐体３５に設けられた３つの位置決め孔（図示略）に各位置決め突起６１２が嵌合することで光学部品用筐体３５に対する所望の位置に第１光源装置４Ａが位置決めされる。
また、第１コネクターＣｎが外装筐体２内部に設けられた第２コネクター（図示略）に接続することで、各コネクターＣｎを介して発光管４１に電力が供給可能な状態（発光管４１が点灯可能な状態）となる。
なお、利用者は、第２光源装置４Ｂを外装筐体２内部に装着する際には、図３に示す姿勢から中心軸Ａｘを中心として上下反転（１８０°回転させた）させた姿勢で、上記同様に実施するものである。
【００３４】
第２筒状部６２において、上方側の上面部６２Ａ、及び下方側の下面部６２Ｂには、図４に示すように、空間Ａｒに連通する上側開口部６２１及び下側開口部６２２が形成されている。
また、第２筒状部６２には、図３または図４に示すように、上側開口部６２１及び下側開口部６２２を閉塞するように空気流通部８がそれぞれ設けられている。
一対の空気流通部８は、同様の構成を有し、中心軸Ａｘを中心として上下対称（１８０°の回転対称）にそれぞれ上面部６２Ａ及び下面部６２Ｂに取り付けられている。
なお、以下では、説明の便宜上、上面部６２Ａに取り付けられた空気流通部８を導入用空気流通部８Ａと記載し、下面部６２Ｂに取り付けられた空気流通部８を排出用空気流通部８Ｂと記載する。
また、以下では、導入用空気流通部８Ａのみを説明する。排出用空気流通部８Ｂについては、導入用空気流通部８Ａに対して中心軸Ａｘを中心として１８０°回転させて配設されるだけであるため、説明を省略する。
【００３５】
図５は、導入用空気流通部８Ａの構成を示す斜視図である。具体的に、図５（Ａ）は図３に示す姿勢状態での第１光源装置４Ａにおける導入用空気流通部８Ａを前方側から見た斜視図であり、図５（Ｂ）は後方側から見た斜視図である。
【００３６】
導入用空気流通部８Ａは、上側開口部６２１を介して空間Ａｒに連通し、外部の空気を前方側から後方側に向けて空間Ａｒに導入する。この導入用空気流通部８Ａは、図５に示すように、下側壁部８１、前側壁部８２、傾斜側壁部８３、左側壁部８４及び右側壁部８５を有する縦断面略直角三角形状の中空部材で構成されている。
下側壁部８１は、図５に示すように、下方側に位置し、水平面に略平行するように延出する平面視矩形形状を有し、第２筒状部６２の上面部６２Ａに接続する部分である。
この下側壁部８１において、後方側には、図５（Ｂ）に示すように、上側開口部６２１を介して空間Ａｒと導入用空気流通部８Ａ内部とを連通する平面視矩形状の第１下側連通口８１１が形成されている。
また、下側壁部８１において、左右方向の略中心位置には、第１下側連通口８１１の前方側の縁部から前方側に延びる第２下側連通口８１２（図４、図５（Ａ））が形成されている。
【００３７】
さらに、下側壁部８１の上面において、左右方向の略中心位置には、図５に示すように、第２下側連通口８１２を覆う断面略Ｕ字形状を有し、前方側から後方側に延びる封止部用流通部８１３が設けられている。
この封止部用流通部８１３において、後方側には、後方側に向うにしたがって下方に傾斜した傾斜面８１３Ａ（図４、図５（Ｂ））が形成されている。
すなわち、封止部用流通部８１３を流通する空気は、図４の矢印ＲＡに示すように、傾斜面８１３Ａにて整流されることで、第２下側連通口８１２及び上側開口部６２１を介して空間Ａｒに導入され、前側封止部４１２の先端部分に向けて送風される。前側封止部４１２の先端部分に空気が送風されることで、前側封止部４１２の先端部分を冷却し、前側封止部４１２内部の金属箔４１２１と電極引出線４１４、及び電極引出線４１４とリード線４１６との溶着（接続）状態を良好に維持している。
【００３８】
前側壁部８２は、図５に示すように、下側壁部８１における上面の前方側から上方側に向けて垂設され、中心軸Ａｘに略直交する平面に沿って延出する平面視矩形形状を有する。
この前側壁部８２には、図５（Ａ）に示すように、導入用空気流通部８Ａ内外を連通する平面視矩形状の第１連通口８２１が形成されている。
傾斜側壁部８３は、下側壁部８１の後方側と前側壁部８２の上方側とを接続する部分であり、後方側に向うにしたがって下方に傾斜した平面視矩形形状を有する。
この傾斜側壁部８３には、図５に示すように、導入用空気流通部８Ａ内外を連通する平面視矩形状の排出口としての第２連通口８３１が形成されている。
本実施形態では、第２連通口８３１は、第１連通口８２１よりも大きく形成されている。
また、傾斜側壁部８３の下面には、左右方向に所定の間隔を空けて、下面から略直交して突出する円柱状の一対の軸支部８６Ａ，８６Ｂが形成されている（図７参照）。
なお、下側壁部８１の上面にも、傾斜側壁部８３の一対の軸支部８６Ａ，８６Ｂにそれぞれ対向し、傾斜側壁部８３に略直交して突出する円柱状の一対の軸支部８６Ａ，８６Ｂが形成されている（図７参照）。
【００３９】
左側壁部８４及び右側壁部８５は、平面視直角三角形状を有し、下側壁部８１の左右両端縁、前側壁部８２の左右両端縁、及び傾斜側壁部８３の左右両端縁をそれぞれ接続する。
【００４０】
以上説明した導入用空気流通部８Ａには、具体的な図示は省略したが、冷却ファンから吐出された空気を所定位置に導くダクトが接続されている。
具体的に、ダクトは、冷却ファンの吐出口に接続するとともに、前方側から後方側に延出し、導入用空気流通部８Ａにおける第１連通口８２１に接続する。
また、ダクトは、先端からさらに後方側に延出する板状の閉塞部を有し、導入用空気流通部８Ａに接続することで、導入用空気流通部８Ａにおける第２連通口８３１を閉塞する。
【００４１】
すなわち、冷却ファンから吐出された空気は、ダクトを介して、第１連通口８２１から導入用空気流通部８Ａに導入される。また、導入用空気流通部８Ａに導入された空気は、第２連通口８３１から外部に漏れることなく、封止部用流通部８１３や第１下側流通孔８１２等を介して、空間Ａｒに導入される。
なお、第２光源装置４Ｂについては、上述したように、第１光源装置４Ａに対して中心軸Ａｘを中心として上下反転した姿勢となるため、天面部２１側に位置する空気流通部８（第１光源装置４Ａを基準とした場合には排出用空気流通部８Ｂ）に対して上記同様にダクトが接続している。
【００４２】
また、上述した各空気流通部８内部には、図４または図５に示すように、一対の整流部材９がそれぞれ配設されている。
なお、以下では、説明の便宜上、導入用空気流通部８Ａ内部において、前方側から見て左側に配設される整流部材９を左側整流部材９Ａ（図５）と記載し、右側に配設される整流部材９を右側整流部材９Ｂ（図５）と記載する。
また、以下では、左側整流部材９Ａのみを説明する。右側整流部材９Ｂについては、左側整流部材９Ａに対して上下を逆転させた姿勢で配設されるだけであるため、説明を省略する。
【００４３】
図６は、左側整流部材９Ａの構成を示す斜視図である。具体的に、図６は、図５（Ａ）に示す姿勢状態での導入用空気流通部８Ａ内部における左側整流部材９Ａを前方側から見た斜視図である。
左側整流部材９Ａは、図６に示すように、金属製の板体を加工することにより構成されたものであり、互いに鋭角をなすように接続された端領域遮蔽部１１及び中央領域遮蔽部１２を有し、略Ｌ字形状を有する。
端領域遮蔽部１１は、図６に示すように、平面視矩形形状を有する。
この端領域遮蔽部１１において、上下端縁には、端領域遮蔽部１１から略９０°折り曲げられた一対の軸受け部１１１が設けられている。
一対の軸受け部１１１には、軸支部８６Ａが挿通可能とする軸受け孔１１１Ａがそれぞれ形成されている。
【００４４】
中央領域遮蔽部１２は、図６に示すように、端領域遮蔽部１１における右側の端縁の上方側から後方側に向けて屈曲した長尺状の平面視矩形形状を有する。
この中央領域遮蔽部１２において、先端側は、図６に示すように、第１〜第３の屈曲部１３〜１５にて左側に向けて屈曲している。
そして、左側整流部材９Ａは、上述した形状により、その重心位置Ｇｐが中央領域遮蔽部１２及び端領域遮蔽部１１で形成されるＬ字形状の内側に位置することとなる（図９、図１０参照）。
【００４５】
以上説明した左側整流部材９Ａは、導入用空気流通部８Ａ内部において、中央領域遮蔽部１２が端領域遮蔽部１１に対して右後方側に位置する姿勢（図６に示す姿勢）で、左側に位置する一対の軸支部８６Ａが各軸受け孔１１１Ａに挿通されることで、一対の軸支部８６Ａに対して自重により回動可能に軸支される（図９、図１０参照）。
また、右側整流部材９Ｂは、左側整流部材９Ａとは異なり、導入用空気流通部８Ａ内部において、中央領域遮蔽部１２が端領域遮蔽部１１に対して左後方側に位置する姿勢で、右側に位置する一対の軸支部８６Ｂが各軸受け孔１１１Ａに挿通されることで、一対の軸支部８６Ｂに対して自重により回動可能に軸支される（図９、図１０参照）。
すなわち、左側整流部材９Ａ及び右側整流部材９Ｂは、導入用空気流通部８Ａ内部において、左右対称に取り付けられている。
【００４６】
また、各軸支部８６Ａ，８６Ｂは、上述したように、傾斜側壁部８３に略直交する方向に突出したものである。このため、各整流部材は、図４に示すように、中央領域遮蔽部１２の先端部分が中心軸Ａｘに近接するように傾斜した姿勢で、傾斜側壁部８３に略直交する回動軸ＲＡｘ（各軸支部８６Ａ，８６Ｂ）を中心として自重により回動することとなる。
すなわち、本実施形態では、回動軸ＲＡｘは、図４に示すように、中心軸Ａｘに離間する側が後方側に位置するように鉛直軸に対して傾斜している。
【００４７】
〔整流部材の機能〕
次に、上述した整流部材９の機能について説明する。
なお、以下でも上記同様に、第１光源装置４Ａを基準に説明する。
図７ないし図１１は、整流部材９の機能を説明するための図である。具体的に、図７は、傾斜側壁部８３の傾斜方向に直交する平面で切断した導入用空気流通部８Ａの断面図である。図８は、プロジェクター１の種々の姿勢を模式的に示す図である。図９は、プロジェクター１が種々の姿勢で設置された場合での導入用空気流通部８Ａにおける各整流部材９の姿勢を傾斜側壁部８３側から見た図である。図１０は、プロジェクター１が種々の姿勢で設置された場合での排出用空気流通部８Ｂにおける各整流部材９の姿勢を傾斜側壁部８３側から見た図である。図１１は、プロジェクター１が種々の姿勢で設置された場合での空気の流れを説明するための図である。
なお、図９及び図１０では、重力の加わる方向（鉛直方向）を全て図９および図１０中、下方に設定している。
【００４８】
整流部材９は、回動軸ＲＡｘを中心として自重により回動することで、以下に示すように、各領域Ａｒ１〜Ａｒ３を開閉する。
すなわち、導入用空気流通部８Ａ内部において、第１連通口８２１及び第１下側連通口８１１間の空気の流路は、図７に示すように、左右方向の略中央に位置し封止部用流通部８１３の上方側に位置する中央領域Ａｒ１と、中央領域Ａｒ１に対して左右に位置する各端領域Ａｒ２，Ａｒ３との３つの領域に分けられる。
【００４９】
先ず、プロジェクター１が図８（Ａ）に示す正置き姿勢（天吊り姿勢も同様）で設置された場合について、導入用空気流通部８Ａに取り付けられた各整流部材９の動作、及び排出用空気流通部８Ｂに取り付けられた各整流部材９の動作を順に説明する。
導入用空気流通部８Ａでは、プロジェクター１が正置き姿勢で設置された場合には、図９（Ａ）に示すように、前側壁部８２の先端部分８２Ａが上方側に位置し、下側壁部８１が下方側に位置し、重力の加わる方向（以下、鉛直方向）が先端部分８２Ａから下側壁部８１への方向となる。
このため、各整流部材９は、図９（Ａ）に示すように、自重により回動軸ＲＡｘから重心位置Ｇｐへの方向Ｌが鉛直方向に向こうとして、各中央領域遮蔽部１２の先端部分が各側壁部８４，８５にそれぞれ当接するまで各回動軸ＲＡｘを中心として回動する。
そして、図９（Ａ）に示す状態では、各整流部材９は、中央領域Ａｒ１を開放するとともに、各端領域遮蔽部１１にて各端領域Ａｒ２，Ａｒ３をそれぞれ閉塞する第１の回動位置にそれぞれ位置付けられる。
【００５０】
一方、排出用空気流通部８Ｂでは、プロジェクター１が正置き姿勢で設置された場合には、各整流部材９は、上述した導入用空気流通部８Ａに取り付けられた各整流部材９と同様に第１の回動位置にそれぞれ位置付けられる、あるいは、一方の整流部材９が第１の回動位置に位置付けられるとともに他方の整流部材９が以下に示す第２の回動位置に位置付けられる。すなわち、空気流通部８が下方側に位置付けられた場合には、２つの整流部材９の回動状態を制御できない。
例えば、図１０（Ａ）に示すように、左側整流部材９Ａは、中央領域遮蔽部１２の先端部分が右側整流部材９Ｂの中央領域遮蔽部１２に当接するまで回動軸ＲＡｘを中心として回動し、中央領域遮蔽部１２にて中央領域Ａｒ１を閉塞するとともに、端領域遮蔽部１１が左側壁部８４に略平行して端領域Ａｒ２を開放した第２の回動位置に位置付けられる。
また、右側整流部材９Ｂは、図１０（Ａ）に示すように、左側整流部材９Ａが当接しているため回動が規制され、第１の回動位置に位置付けられる。
なお、本実施形態では、中央領域遮蔽部１２は、各整流部材９Ａ，９Ｂの離間寸法に対して長くなるように形成されているため、上述したように一方の整流部材９が第２の回動位置に位置付けられた際に他方の整流部材９に当接することとなる。
【００５１】
そして、プロジェクター１が正置き姿勢で設置された場合には、上述したように各整流部材９が動作することで、冷却ファンから吐出された空気は、以下に示すように、流通することとなる。
すなわち、冷却ファンから吐出された空気は、図９（Ａ）または図１１（Ａ）に示す矢印Ｒ１のように、導入用空気流通部８Ａにおける中央領域Ａｒ１を通過して前方側から後方側に向けて流通して空間Ａｒに導入され、発光部４１１の上方側から、発光部４１１上部の頂点位置Ｐ１にスポット的に送風される。
そして、発光部４１１に送風された後の空気は、図１０（Ａ）または図１１（Ａ）に示す矢印Ｒ２のように、空間Ａｒから排出用空気流通部８Ｂに導入され、第２連通口８３１から外部に排出されるとともに、端領域Ａｒ２を通過して第１連通口８２１から外部に排出される。
【００５２】
次に、プロジェクター１が図８（Ｂ）に示す上方投射姿勢（投射レンズ３４が上方側に位置する姿勢）で設置された場合について、導入用空気流通部８Ａに取り付けられた各整流部材９の動作、及び排出用空気流通部８Ｂに取り付けられた各整流部材９の動作を順に説明する。
導入用空気流通部８Ａでは、プロジェクター１が上方投射姿勢で設置された場合には、図９（Ｂ）に示すように、右側壁部８５が上方側に位置し、左側壁部８４が下方側に位置し、鉛直方向が右側壁部８５から左側壁部８４への方向となる。
このため、右側整流部材９Ｂは、図９（Ｂ）に示すように、自重により方向Ｌが鉛直方向に向こうとして、中央領域遮蔽部１２の先端部分が左側整流部材９Ａの中央領域遮蔽部１２に当接するまで回動軸ＲＡｘを中心として回動する。すなわち、右側整流部材９Ｂは、中央領域遮蔽部１２にて中央領域Ａｒ１を閉塞するとともに、端領域遮蔽部１１が右側壁部８５に略平行して端領域Ａｒ３を開放した第２の回動位置に位置付けられる。
また、左側整流部材９Ａも同様に、図９（Ｂ）に示すように、自重により方向Ｌが鉛直方向に向こうとするため、第１の回動位置に位置付けられる。
【００５３】
一方、排出用空気流通部８Ｂでは、プロジェクター１が上方投射姿勢で設置された場合には、図１０（Ｂ）に示すように、導入用空気流通部８Ａとは逆に、左側壁部８４が上方側に位置し、右側壁部８５が下方側に位置し、鉛直方向が左側壁部８４から右側壁部８５への方向となる。
このため、図１０（Ｂ）に示すように、左側整流部材９Ａが第２の回動位置に位置付けられるとともに、右側整流部材９Ｂが第１の回動位置に位置付けられる。
【００５４】
そして、プロジェクター１が上方投射姿勢で設置された場合には、上述したように各整流部材９が動作することで、冷却ファンから吐出された空気は、以下に示すように、流通することとなる。
すなわち、冷却ファンから吐出された空気は、図９（Ｂ）または図１１（Ｂ）に示す矢印Ｒ３のように、導入用空気流通部８Ａにおける端領域Ａｒ３を通過して前方側から後方側に向けて流通して空間Ａｒに導入され、前方側から見て発光部４１１における左側方から、発光部４１１上部の頂点位置Ｐ１（正置き姿勢では前方側から見て右側の頂点位置）にスポット的に送風される。
そして、発光部４１１に送風された後の空気は、図１０（Ｂ）または図１１（Ｂ）に示す矢印Ｒ４のように、空間Ａｒから排出用空気流通部８Ｂに導入され、第２連通口８３１から外部に排出されるとともに、端領域Ａｒ２を通過して第１連通口８２１から外部に排出される。
【００５５】
最後に、プロジェクター１が図８（Ｃ）に示す下方投射姿勢（投射レンズ３４が下方側に位置する姿勢）で設置された場合について、導入用空気流通部８Ａに取り付けられた各整流部材９の動作、及び排出用空気流通部８Ｂに取り付けられた各整流部材９の動作を順に説明する。
導入用空気流通部８Ａでは、プロジェクター１が下方投射姿勢で設置された場合には、図９（Ｃ）に示すように、図９（Ｂ）に示す上方投射姿勢とは逆に、左側壁部８４が上方側に位置し、右側壁部８５が下方側に位置し、鉛直方向が左側壁部８４から右側壁部８５への方向となる。
このため、図９（Ｃ）に示すように、左側整流部材９Ａが第２の回動位置に位置付けられるとともに、右側整流部材９Ｂが第１の回動位置に位置付けられる。
【００５６】
一方、排出用空気流通部８Ｂでは、プロジェクター１が下方投射姿勢で設置された場合には、図１０（Ｃ）に示すように、導入用空気流通部８Ａとは逆に、右側壁部８５が上方側に位置し、左側壁部８４が下方側に位置し、鉛直方向が右側壁部８５から左側壁部８４への方向となる。
このため、図１０（Ｃ）に示すように、左側整流部材９Ａが第１の回動位置に位置付けられるとともに、右側整流部材９Ｂが第２の回動位置に位置付けられる。
【００５７】
そして、プロジェクター１が下方投射姿勢で設置された場合には、上述したように各整流部材９が動作することで、冷却ファンから吐出された空気は、以下に示すように、流通することとなる。
すなわち、冷却ファンから吐出された空気は、図９（Ｃ）または図１１（Ｃ）に示す矢印Ｒ５のように、導入用空気流通部８Ａにおける端領域Ａｒ２を通過して前方側から後方側に向けて流通して空間Ａｒに導入され、発光部４１１の右側方から、発光部４１１上部の頂点位置Ｐ１（正置き姿勢では前方側から見て左側の頂点位置）にスポット的に送風される。
そして、発光部４１１に送風された後の空気は、図１０（Ｃ）または図１１（Ｃ）に示す矢印Ｒ６のように、空間Ａｒから排出用空気流通部８Ｂに導入され、第２連通口８３１から外部に排出されるとともに、端領域Ａｒ３を通過して第１連通口８２１から外部に排出される。
【００５８】
なお、第２光源装置４Ｂについては、説明を省略したが、上記同様に、天面部２１側に位置する空気流通部８が導入用空気流通部８Ａとして機能し、底面部２２側に位置する空気流通部８が排出用空気流通部８Ｂとして機能するものである。
【００５９】
上述した第１実施形態によれば、以下の効果がある。
本実施形態では、光源装置４を構成する第２筒状部６２には、一対の空気流通部８が中心軸Ａｘを中心として上下対称に設けられている。このことにより、２つの光源装置４を同一構造とした２灯式のプロジェクター１において、第１光源装置４Ａと第２光源装置４Ｂとが上下逆の姿勢で配設されても、一対の空気流通部８が上下対称に設けられているため、いずれかの空気流通部８が発光管４１に対して上方側（プロジェクター１を正置き姿勢で設置した場合の上方側）に位置することとなる。すなわち、プロジェクター１を正置き姿勢で設置した場合において、導入用空気流通部８Ａを介して外部の空気を空間Ａｒに導入することで、双方の光源装置４において、各発光管４１の上方側から各発光部４１１上部の頂点位置Ｐ１に効率よく空気を送風でき、各発光管４１の長寿命化が図れる。
また、空気流通部８内部には、整流部材９が設けられているため、導入用空気流通部８Ａを介して空間Ａｒに導入される空気を整流部材９にて整流でき、発光部４１１上部の頂点位置Ｐ１により一層効率よく空気を送風できる。
【００６０】
さらに、整流部材９は、回動軸ＲＡｘを中心として自重で回動可能とし、回動することで空気流通部８内部の各領域Ａｒ１〜Ａｒ３を開閉する。このことにより、プロジェクター１を上方投射姿勢や下方投射姿勢で設置した場合には、整流部材９が自重により回動することで、導入用空気流通部８Ａ内部の下方側の領域を整流部材９にて閉塞し、上方側の領域のみを開放することができる。すなわち、外部の空気を導入用空気流通部８Ａ内部の上方側の領域のみを通過させることで、発光管４１の側方から発光部４１１上部の頂点位置Ｐ１に空気を送風することができる。
したがって、プロジェクター１を種々の姿勢（正置き姿勢（天吊り姿勢）、上方投射姿勢、及び下方投射姿勢）で設置した場合であっても、発光部４１１上部の頂点位置Ｐ１に効率よく空気を送風でき、発光管４１の長寿命化が図れる。
【００６１】
また、回動軸ＲＡｘは、上述したように鉛直軸に対して傾斜している。このことにより、プロジェクター１を正置き姿勢で設置した場合には、導入用空気流通部８Ａ内部の整流部材９は、自重により回動することで、先端部分が後方側に向うように第１の回動位置に位置付けられることとなる。このため、プロジェクター１を正置き姿勢で設置した場合において、整流部材９が導入用空気流通部８Ａの流路を不要に閉塞することなく、導入用空気流通部８Ａを介して空間Ａｒに導入される空気を整流部材９にて適切に整流でき、発光部４１１上部に効率よく空気を送風できる。
【００６２】
さらに、空気流通部８内部には、中央領域遮蔽部１２及び端領域遮蔽部１１を備えた整流部材９が２つ、上述したように並設されている。
このことにより、プロジェクター１を正置き姿勢で設置した場合には、２つの整流部材９を第１の回動位置にそれぞれ位置付けることができる。このため、外部の空気が導入用空気流通部８Ａの中央領域Ａｒ１のみを通過することで、発光管４１の上方側から発光部４１１上部の頂点位置Ｐ１に空気を送風することができる。
また、プロジェクター１を上方投射姿勢や下方投射姿勢で設置した場合には、上方側に位置する整流部材９を第２の回動位置に位置付け、下方側に位置する整流部材９を第１の回動位置に位置付けることができる。このため、外部の空気が導入用空気流通部８Ａの上方側に位置する端領域のみを通過することで、発光管４１の側方から発光部４１１上部に空気を送風することができる。
したがって、プロジェクター１を種々の姿勢で設置した場合において、導入用空気流通部８Ａ内部の流路を２つの整流部材９にて絞ることで、発光部４１１上部の頂点位置Ｐ１にスポット的に空気を送風して発光部４１１を効果的に冷却できる。
【００６３】
また、中央領域遮蔽部１２は、２つの整流部材９における離間寸法よりも長く形成されているため、第２の回動位置に回動した際に他方の整流部材９における中央領域遮蔽部１２に当接する。このことにより、一方の整流部材９が第２の回動位置に回動した場合には、他方の整流部材９の第２の回動位置への回動を規制して他方の整流部材９を第１の回動位置に位置付けることができる。すなわち、２つの整流部材９の双方が第２の回動位置に回動し、各中央領域遮蔽部１２が重なり合ってしまうことを回避できる。
したがって、プロジェクター１を種々の姿勢で設置した場合において、２つの整流部材９を所望の回動位置に円滑に回動させることができ、上述した発光部４１１上部にスポット的に空気を送風して発光部４１１を効果的に冷却できるという効果を好適に図れる。
【００６４】
さらに、中央領域遮蔽部１２及び端領域遮蔽部１１を鋭角をなすように接続することで、整流部材９が第２の回動位置に位置付けられた際に、端領域遮蔽部１１が空気の流路に略平行するように構成している。このことにより、プロジェクター１を上方投射姿勢や下方投射姿勢で設置した場合に、外部の空気が導入用空気流通部８Ａの上方側に位置する端領域を通過する際に、端領域遮蔽部１１にて流通方向が変更されることがなく、端領域遮蔽部１１にて良好に整流されることとなり、発光部４１１上部の頂点位置Ｐ１に空気を効率よく送風することができる。
【００６５】
また、空気流通部８に第２連通口８３１が形成されているので、排出用空気流通部８Ｂ内部の２つの整流部材９が排出用空気流通部８Ｂの各領域Ａｒ１〜Ａｒ３のうち２つの領域を閉塞してしまった場合であっても、第２連通口８３１を設けた分、空間Ａｒに導入される導入側の流路面積に対して、空間Ａｒから排出される排出側の流路面積を大きくすることができる。このため、空間Ａｒに導入された空気が空間Ａｒに滞留することを抑制し、発光管４１の冷却効率を向上できる。
【００６６】
[第２実施形態]
次に、本発明の第２実施形態を図面に基づいて説明する。
以下の説明では、前記第１実施形態と同様の構造及び同一部材には同一符号を付して、その詳細な説明は省略または簡略化する。
図１２は、第２実施形態における整流部材９を説明するための図である。具体的に、図１２は、第１光源装置４Ａにおける導入用空気流通部８Ａを拡大した斜視図である。
第２実施形態において、前記第１実施形態と異なる点は、以下の通りである。
前記第１実施形態では、空気流通部８が第２筒状部６２の外面に取付けられていたが、本実施形態では、図１２に示すように、空気流通部８が第２筒状部６２と一体的に形成されている。
また、前記第１実施形態では、前側封止部４１２の先端部分に空気を送風するための第２下側連通口８１２及び封止部用流通部８１３が設けられていたが、本実施形態では、図１２に示すように、第２下側連通口８１２及び封止部用流通部８１３が省略されている。
さらに、前記第１実施形態では、空気流通部８内部において、整流部材９が一対設けられていたが、本実施形態では、図１２に示すように、整流部材９が１つのみ設けられている。
【００６７】
具体的に、整流部材９は、図１２に示すように、矩形平板状に形成されている。また、整流部材９は、一端側の厚みが大きく形成され、いずれか一方の板面側に重心が位置するように構成されている。そして、整流部材９は、板面が鉛直軸に沿う姿勢で、他端側が空気流通部８内部に軸支されている。
なお、整流部材９の回動軸ＲＡｘ（図１２）は、前記第１実施形態と同様に鉛直軸に対して傾斜している。
また、本実施形態では、空気流通部８内部に対して整流部材９が軸支される位置は、図１２に示すように、空気流通部８内部における左右方向の略中心位置に設定されている。
【００６８】
次に、本実施形態における整流部材９の機能を図８及び図１３に基づいて説明する。
なお、以下でも前記第１実施形態と同様に、第１光源装置４Ａを基準に説明する。
図１３は、整流部材９の機能を説明するための図である。具体的に、図１３は、第１光源装置４Ａを前方側から見た模式図である。
なお、図１３では、整流部材９にて閉塞された部分をハッチで示している。
整流部材９は、回動軸ＲＡｘを中心として自重により回動することで、以下に示すように、各領域Ａｒ４，Ａｒ５を開閉する。
すなわち、導入用空気流通部８Ａ内部において、第１連通口８２１及び第１下側連通口８１１間の空気の流路は、図１２に示すように、左側に位置する領域Ａｒ４と、右側に位置する領域Ａｒ５との２つの領域に分けられる。
【００６９】
先ず、プロジェクター１が図８（Ａ）に示す正置き姿勢で設置された場合を説明する。
導入用空気流通部８Ａに取り付けられた整流部材９（以下、上側整流部材９）は、一端側が後方側に位置し、各領域Ａｒ４，Ａｒ５を区画する姿勢（図１２）となるように、自重により回動軸ＲＡｘを中心として回動し、図１３（Ａ）に示すように各領域Ａｒ４，Ａｒ５を開放した開放位置に位置付けられる。
一方、排出用空気流通部８Ｂに取り付けられた整流部材９（以下、下側整流部材９）は、上述した上側整流部材９と同様に開放位置にそれぞれ位置付けられる、あるいは、以下に示す閉塞位置に位置付けられる。すなわち、空気流通部８が下方側に位置付けられた場合には、前記第１実施形態と同様に、下側整流部材９の回動状態を制御できない。
例えば、図１３（Ａ）に示すように、下側整流部材９は、領域Ａｒ４を開放し、領域Ａｒ５を閉塞した閉塞位置（以下、第１の閉塞位置）に位置付けられる。
なお、冷却ファンから吐出された空気は、前記第１実施形態と同様に発光部４１１上部に送風されるものであり、導入用空気流通部８Ａにおいて全ての領域Ａｒ４，Ａｒ５を通過した後に空間Ａｒに導入される点、排出用空気流通部８Ｂにおいて領域Ａｒ４を通過して第１連通口８２１から外部に排出される点が前記第１実施形態と異なるのみである。
【００７０】
次に、プロジェクター１が図８（Ｂ）に示す上方投射姿勢で設置された場合を説明する。
上側整流部材９は、導入用空気流通部８Ａが前記第１実施形態で説明した図９（Ｂ）と同様の姿勢となるため、自重により回動軸ＲＡｘを中心として回動し、図１３（Ｂ）に示すように、上方側に位置する領域Ａｒ５を開放し、下方側に位置する領域Ａｒ４を閉塞した第２の閉塞位置に位置付けられる。
一方、下側整流部材９は、排出用空気流通部８Ｂが前記第１実施形態で説明した図１０（Ｂ）と同様の姿勢となるため、自重により回動軸ＲＡｘを中心として回動し、図１３（Ｂ）に示すように第１の閉塞位置に位置付けられる。
なお、冷却ファンから吐出された空気は、前記第１実施形態と同様に発光部４１１上部に送風されるものであり、導入用空気流通部８Ａにおいて領域Ａｒ５を通過した後に空間Ａｒに導入される点、排出用空気流通部８Ｂにおいて領域Ａｒ４を通過して第１連通口８２１から外部に排出される点が前記第１実施形態と異なるのみである。
【００７１】
最後に、プロジェクター１が図８（Ｃ）に示す下方投射姿勢で設置された場合には、各空気流通部８Ａ，８Ｂは、上述した上方投射姿勢での各空気流通部８Ａ，８Ｂとは上下が反転した姿勢となる。
このため、図１３（Ｃ）に示すように、上側整流部材９が第１の閉塞位置に位置付けられ、下側整流部材９が第２の閉塞位置に位置付けられる。
なお、冷却ファンから吐出された空気は、前記第１実施形態と同様に発光部４１１上部に送風されるものであり、導入用空気流通部８Ａにおいて領域Ａｒ４を通過した後に空間Ａｒに導入される点、排出用空気流通部８Ｂにおいて領域Ａｒ５を通過して第１連通口８２１から外部に排出される点が前記第１実施形態と異なるのみである。
【００７２】
上述した第２実施形態によれば、空気流通部８内部に平板状の整流部材９を１つのみ設けた場合であっても、前記第１実施形態と同様の効果を享受できる。
また、整流部材９の数を少なくすることができるとともに、整流部材９の形状も簡素化できるため、プロジェクター１の低コスト化及び構造の簡素化が図れる。
【００７３】
なお、本発明は前述の実施形態に限定されるものではなく、本発明の目的を達成できる範囲での変形、改良等は本発明に含まれるものである。
前記各実施形態において、排出口としての第２連通口８３１は、空気流通部８に設けられていたが、これに限らない。すなわち、第２連通口を、空気流通部８とは異なる第２筒状部６２の適宜の位置に設けても構わない。
前記各実施形態において、プロジェクター１は、３つの液晶パネル３３１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３３２，３３３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００７４】
本発明の光源装置は、プレゼンテーションやホームシアターに用いられる２灯式のプロジェクターに搭載される光源装置として利用できる。
【符号の説明】
【００７５】
１・・・プロジェクター、４・・・光源装置、８・・・空気流通部、１０・・・整流部材、１１・・・端領域遮蔽部、１２・・・中央領域遮蔽部、３４・・・投射レンズ（投射光学装置）、４１・・・発光管、４２・・・反射鏡、６２・・・第２筒状部（筒体）、３３１・・・液晶パネル（光変調装置）、８３１・・・第２連通口（排出口）、Ａｒ１・・・中央領域、Ａｒ２，Ａｒ３・・・端領域、Ａｘ・・・中心軸、Ｅ１，Ｅ２・・・電極、ＲＡｘ・・・回動軸。
【図１】
2010244753.tif 000003
【図２】
2010244753.tif 000004
【図３】
2010244753.tif 000005
【図４】
2010244753.tif 000006
【図５】
2010244753.tif 000007
【図６】
2010244753.tif 000008
【図７】
2010244753.tif 000009
【図８】
2010244753.tif 000010
【図９】
2010244753.tif 000011
【図１０】
2010244753.tif 000012
【図１１】
2010244753.tif 000013
【図１２】
2010244753.tif 000014
【図１３】
2010244753.tif 000015
【手続補正書】
【提出日】平成22年4月28日(2010.4.28)
【手続補正１】
【補正対象書類名】明細書
【補正対象項目名】０００５
【補正方法】変更
【補正の内容】
【０００５】
ところで、特許文献１に記載の２灯式のプロジェクターでは、コストや使い勝手を考慮した場合には、２つの光源装置を同一構造とし、すなわち、ある光源装置を２つの光源装置のうちいずれの光源装置としても利用できることが望ましい。
しかしながら、特許文献１に記載の２灯式のプロジェクターにおいて、２つの光源装置を同一構造とするとともに、上述した技術、及び以下に示す２つの光源装置の交換構造を採用した場合には、以下に示す問題が生じてしまう。
２つの光源装置の交換構造としては、例えば、プロジェクターの側方から交換する構造が考えられる。
具体的に、外装筐体の背面側の側壁に交換用蓋体を着脱可能に設け、交換用蓋体を外装筐体から取り外した状態で、背面側から２つの光源装置を外装筐体外部に取り出す。そして、新たな２つの光源装置を背面側から外装筐体内部に装着することで、各光源装置に設けられた各コネクター（以下、光源側コネクター）が外装筐体内部に設けられた各コネクター（以下、筐体側コネクター）に接続し、各コネクターを介して発光管に電力が供給可能な状態（発光管が点灯可能な状態）となる。
【手続補正２】
【補正対象書類名】明細書
【補正対象項目名】０００６
【補正方法】変更
【補正の内容】
【０００６】
そして、上述した交換構造を採用した場合には、投射側から見て右側に配設される光源装置（以下、第１光源装置）については、光源側コネクターの向きが光射出前方側から見て右側に向いている必要がある。一方、投射側から見て左側に配設される光源装置（以下、第２光源装置）については、光源側コネクターの向きが光射出前方側から見て左側に向いている必要がある。
すなわち、２つの光源装置を同一構造とした場合には、例えば、第１光源装置と第２光源装置とを上下逆の姿勢とすれば、双方の光源装置において、光源側コネクターの向きを上述した所望の位置に設定できる。
しかしながら、上述した技術を採用した場合には、第１光源装置と第２光源装置とが上下逆の姿勢となるため、一方の光源装置では空気導入口が上方側に位置するが、他方の光源装置では空気導入口が下方側に位置することとなる。
すなわち、一方の光源装置については空気導入口を介して発光部上部に空気を送風して発光管の長寿命化が図れるが、他方の光源装置については空気導入口を介して発光部下部に空気が送風されることとなり発光管の長寿命化が図れない。
以上のことから、プロジェクターに同一構造の２つの光源装置を搭載し、かつ、プロジェクターの側方から各光源装置を交換する構造とした場合であっても、全ての光源装置における各発光管の長寿命化が図れる技術が要望されている。
【手続補正３】
【補正対象書類名】明細書
【補正対象項目名】００２８
【補正方法】変更
【補正の内容】
【００２８】
発光部４１１の内部には、一対の電極Ｅ１，Ｅ２が配置され、一対の電極Ｅ１，Ｅ２間には、水銀、希ガス及び少量のハロゲンを含む発光物質が封入された放電空間Ｓが形成されている。
各封止部４１２，４１３内部には、電極Ｅ１，Ｅ２とそれぞれ電気的に接続されたモリブデン製の金属箔４１２１，４１３１が挿入され、各封止部４１２，４１３における発光部４１１とは反対側の端部は、ガラス材料等で封止されている。
これら各金属箔４１２１，４１３１には、発光管４１の外部まで延出する電極引出線４１４，４１５がそれぞれ接続され、これら電極引出線４１４，４１５に対して、電圧を印加すると、発光部４１１内部が発光する。
なお、前側封止部４１２に設けられた電極引出線４１４には、該電極引出線４１４に電圧を印加するために、ハウジング５外部に配設される第１コネクターＣｎ（図３）に接続するリード線４１６の一端が溶着されている。
【手続補正４】
【補正対象書類名】明細書
【補正対象項目名】００３３
【補正方法】変更
【補正の内容】
【００３３】
すなわち、利用者は、以下に示すように、第１光源装置４Ａを交換する。
先ず、利用者は、外装筐体２から交換用蓋体２３１を取り外し、外装筐体２内部に装着された第１光源装置４Ａの把持部７１を把持し、外装筐体２外部に引き出す。
次に、利用者は、新たな第１光源装置４Ａにおける把持部７１を把持しながら、図３に示す姿勢で、右側の端面６１Ｃ側から外装筐体２内部に挿入する。そして、光学部品用筐体３５に設けられた３つの位置決め孔（図示略）に各位置決め突起６１１Ａ〜６１１Ｃが嵌合することで光学部品用筐体３５に対する所望の位置に第１光源装置４Ａが位置決めされる。
また、第１コネクターＣｎが外装筐体２内部に設けられた第２コネクター（図示略）に接続することで、各コネクターＣｎを介して発光管４１に電力が供給可能な状態（発光管４１が点灯可能な状態）となる。
なお、利用者は、第２光源装置４Ｂを外装筐体２内部に装着する際には、図３に示す姿勢から中心軸Ａｘを中心として上下反転（１８０°回転させた）させた姿勢で、上記同様に実施するものである。
【手続補正５】
【補正対象書類名】明細書
【補正対象項目名】００４１
【補正方法】変更
【補正の内容】
【００４１】
すなわち、冷却ファンから吐出された空気は、ダクトを介して、第１連通口８２１から導入用空気流通部８Ａに導入される。また、導入用空気流通部８Ａに導入された空気は、第２連通口８３１から外部に漏れることなく、封止部用流通部８１３や第１下側連通口８１１等を介して、空間Ａｒに導入される。
なお、第２光源装置４Ｂについては、上述したように、第１光源装置４Ａに対して中心軸Ａｘを中心として上下反転した姿勢となるため、天面部２１側に位置する空気流通部８（第１光源装置４Ａを基準とした場合には排出用空気流通部８Ｂ）に対して上記同様にダクトが接続している。